(57)【要約】【課題】  従来よりも小型且つ軽量であり、構造が簡素であると共に、部品点数の少ない、新規な構成の装置を提供すること。【解決手段】  まず、第１の波長の光を照射した被検眼からの戻り光を撮像手段に合焦する合焦手段を有する。また、前記第１の波長とは異なる第２の波長の光を照射した前記被検眼からの戻り光を前記撮像手段に合焦する際に、該第１の波長の光と該第２の波長の光との光路長差に基づき前記合焦手段を移動する移動手段を有する。【選択図】  図１
2011015955.tif 000002
【特許請求の範囲】
【請求項１】
被検眼を撮像する眼科撮像装置であって、
第１の波長の光を照明した前記被検眼からの戻り光を撮像手段に合焦する合焦手段と、
前記第１の波長とは異なる第２の波長の光を照明した前記被検眼からの戻り光を前記撮像手段に合焦する際に、該第１の波長の光と該第２の波長の光との光路長差に基づき前記合焦手段を移動する移動手段と、
を有することを特徴とする眼科撮像装置。
【請求項２】
前記第１及び第２の波長の光を照明した前記被検眼からの戻り光を前記撮像手段に合焦する際、該被検眼と該撮像手段とが共役であることを特徴とする請求項１に記載の眼科撮像装置。
【請求項３】
前記第１及び第２の波長の光を前記被検眼に照明する照明光学系を有することを特徴とする請求項１あるいは２に記載の眼科撮像装置。
【請求項４】
前記第１の波長を含む近赤外光あるいは可視光を発生させる観察用光源と、
前記第２の波長を含む可視光を発生させる撮影用光源と、を有し、
前記観察用光源を用いて該被検眼を観察した後に、前記撮影用光源を用いて該被検眼を撮影することを特徴とする請求項１乃至３のいずれか１項に記載の眼科撮像装置。
【請求項５】
前記合焦手段が、光路に沿って移動可能なフォーカスレンズを有することを特徴とする請求項１乃至４のいずれか１項に記載の眼科撮像装置。
【請求項６】
前記撮像手段からの出力信号に基づく動画あるいは静止画を表示手段に表示する表示制御手段を有することを特徴とする請求項１乃至５のいずれか１項に記載の眼科撮像装置。
【請求項７】
前記撮像手段に合焦する光の波長を選択する波長選択手段を有し、
前記波長選択手段を制御して光路に対して挿脱する制御手段と、
を有することを特徴とする請求項１乃至６のいずれか１項に記載の眼科撮像装置。
【請求項８】
被検眼を撮像する眼科撮像方法であって、
第１の波長の光を前記被検眼に照明する工程と、
前記第１の波長の光とは異なる第２の波長の光との光路長差に基づいて撮像手段に合焦する工程と、
前記第２の波長の光を前記被検眼に照明する工程と、
を有することを特徴とする眼科撮像方法。
【請求項９】
前記第１及び第２の波長の光を照明した前記被検眼からの戻り光を前記撮像手段に合焦する際、該被検眼と該撮像手段とが共役であることを特徴とする請求項８に記載の眼科撮像方法。
【請求項１０】
請求項８あるいは９に記載の眼科撮像方法をコンピュータで実行するプログラム。
【請求項１１】
被検眼を撮像する眼科撮像装置であって、
第１の波長の光と、該第１の波長とは異なる第２の波長の光とを前記被検眼に照明する照明光学系と、
前記照明光学系で照明した前記被検眼からの戻り光を撮像手段に合焦する合焦手段を含む撮影光学系と、
前記第１の波長の光と前記第２の波長の光との光路長差に基づき前記合焦手段を移動する移動手段と、
を有することを特徴とする眼科撮像装置。
【請求項１２】
前記第１及び第２の波長の光を照明した前記被検眼からの戻り光を前記撮像手段に合焦する際、該被検眼の眼底と該撮像手段の撮像面とが共役であることを特徴とする請求項１１に記載の眼科撮像装置。
【発明の詳細な説明】
【技術分野】
【０００１】
本発明は、被検眼を撮像する眼科撮像装置及び眼科撮像方法に関する。
【背景技術】
【０００２】
被検眼の眼底を撮影する眼底カメラには、主に、散瞳剤が点眼された被検眼（散瞳眼）を可視光で観察しながら撮影する散瞳型眼底カメラ、散瞳剤が点眼されていない被検眼（無散瞳眼）を近赤外光で観察しながら撮影する無散瞳型眼底カメラがある。また、散瞳型と無散瞳型の共用型眼底カメラもある。共用型眼底カメラとしては、動画用の観察手段として光学ファインダを用いて散瞳眼を可視光観察するものが、特許文献１に開示されている。このとき、無散瞳眼を近赤外光で観察する場合、眼底からの反射光の光路を、散瞳眼を可視光で観察する場合とは異なる光路に変更して、該反射光を静止画用の撮像手段であるＣＣＤに導光させている。
【０００３】
また、撮像手段を１つにすることで小型化された共用型眼底カメラが、特許文献２に開示されている。これは、撮像手段であるテレビカメラまでの光路中に配置され、使用する光の波長の違いによって生じる光路長差を補正する光路長補正用光学素子を開示している。
【０００４】
また、特許文献３には、可視光あるいは赤外光を照明した眼底からの反射光を用いて撮像する撮像手段を有し、該撮像手段までの反射光の光路長を補正する迂回光路を設けることが開示されている。
【先行技術文献】
【特許文献】
【０００５】
【特許文献１】特開平９−６６０３０号公報
【特許文献２】特開平８−２５６９８８号公報
【特許文献３】特開平１０−４３１３９号公報
【発明の概要】
【発明が解決しようとする課題】
【０００６】
本発明の目的は、波長の異なる光（観察光と撮影光）による撮像を共通の撮像手段を用いて行う場合を前提としている発明である。このとき、撮像手段に合焦する合焦手段を利用することにより、上記文献の技術に比べて小型且つ軽量であり、構造が簡素であると共に、部品点数の少ない、新規な構成の装置が求められている。
【課題を解決するための手段】
【０００７】
本発明に係る眼科撮像装置は、
被検眼を撮像する眼科撮像装置であって、
第１の波長の光を照射した前記被検眼からの戻り光を撮像手段に合焦する合焦手段と、
前記第１の波長とは異なる第２の波長の光を照射した前記被検眼からの戻り光を前記撮像手段に合焦する際に、該第１の波長の光と該第２の波長の光との光路長差に基づき前記合焦手段を移動する移動手段と、
を有することを特徴とする。
【０００８】
また、本発明に係る眼科撮像方法は、
被検眼を撮像する眼科撮像方法であって、
第１の波長の光を前記被検眼に照射する工程と、
前記第１の波長の光とは異なる第２の波長の光との光路長差に基づいて撮像手段に合焦する工程と、
前記第２の波長の光を前記被検眼に照射する工程と、
を有することを特徴とする。
【０００９】
また、別の本発明に係る撮像装置は、
被検眼を撮像する眼科撮像装置であって、
第１の波長の光と、該第１の波長とは異なる第２の波長の光とを前記被検眼に照明する照明光学系と、
前記照明光学系で照明した前記被検眼からの戻り光を撮像手段に合焦する合焦手段を含む撮影光学系と、
前記第１の波長の光と前記第２の波長の光との光路長差に基づき前記合焦手段を移動する移動手段と、
を有することを特徴とする。
【発明の効果】
【００１０】
上述の本発明に係る眼科撮像装置及び眼科撮像方法により、従来よりも小型且つ軽量であり、構造が簡素であると共に、部品点数の少ない、新規な構成の装置を提供することができる。
【図面の簡単な説明】
【００１１】
【図１】第１及び第２の実施形態の眼底カメラの構成図である。
【図２】各波長帯域の特性図である。
【図３】各フィルタの透過特性である。
【発明を実施するための形態】
【００１２】
以下、本発明に係る眼科撮像装置及び眼科撮影装置の各実施形態について、図面を用いて詳細に説明する。
【００１３】
（第１の実施形態）
図１（ａ）は、本実施形態の無散瞳眼底カメラの構成図である。ハロゲンランプから成る観察用光源１から、被検眼に対向する対物レンズ２に至る照明光学系には、観察用光源１、可視カットフィルタ３、拡散板４、キセノン管から成る撮影用光源５、レンズ６、絞り７、水晶体絞り８、ミラー９が配列されている。また、ミラー９の反射方向には、リレーレンズ１０、１１、角膜絞り１２、孔あきミラー１３が順次に配列されている。また、観察用光源１の後方には反射鏡１４が設けられている。
【００１４】
図２（ａ）は可視カットフィルタ３の透過特性図であり、可視カットフィルタ３は可視波長を透過せず少なくとも６８０ｎｍ以上の近赤外波長域を透過する。
【００１５】
孔あきミラー１３の後方には観察撮影用光学系が配され、撮影絞り１５、光路に沿って移動可能なフォーカスレンズ１６、結像レンズ１７、光路に対し挿脱可能な近赤カットフィルタ１８、撮像手段１９が配列されている。撮像手段１９は可視光領域から不可視である近赤外光領域までに感度を持ち、かつ動画、静止画出力が可能とされている。
【００１６】
撮像手段１９の出力信号は制御手段３１（表示制御手段とも呼ぶ。）、モニタ３２（表示手段とも呼ぶ。）に接続されている。また、制御手段３１の出力信号は、撮影用光源５に駆動手段３３を介してフォーカスレンズ１６に、駆動手段３４を介して近赤カットフィルタ１８（以降、撮像手段に合焦する光の波長を選択するフィルタのことを波長選択手段とも呼ぶ。）に接続されている。また、制御手段３１には静止画撮影をする撮影スイッチ３５が接続されている。
【００１７】
［動画観察］
動画観察時においては、照明光（第１の波長の光とも呼ぶ。）は観察用光源１からの光束が可視カットフィルタ３を経て近赤外波長として使用される。照明光により被検眼の眼底が照明され、眼底像は観察撮影光学系により撮像手段１９の撮像面に結像する。その際に、近赤カットフィルタ１８は駆動手段３４により光路上から退避している。検者は撮像手段１９から出力される動画像をモニタ３２で観察しながら、眼底が所望の位置になるようにアライメントする。更に、制御手段３１により駆動手段３３を介して眼底と撮像手段１９とが共役な位置の駆動状態においてフォーカスレンズ１６による合焦を行う。
【００１８】
［静止画撮影］
撮影時においては、照明光（第２の波長の光とも呼ぶ。）は撮影用光源５による可視光が使用される。撮影スイッチ３５が押下されると、制御手段３１は駆動手段３３を介してフォーカスレンズ１６の位置の駆動状態において合焦を行う。同時に、撮影用光源５が発光し、制御手段３１は駆動手段３４を介して近赤カットフィルタ１８を観察撮影光学系上に挿入し、撮像手段１９により静止画撮影を行い、撮影された眼底像はモニタ３２上に表示される。制御手段３１は図２（ｂ）に示す特定の略７８０〜１０００ｎｍの波長域の近赤外波長域ａ内の任意の波長と特定の略４００〜７００ｎｍの波長域の可視波長域ｂ内の任意の波長の差によって生ずる光路長差に対応したフォーカスレンズ１６の移動量を記憶している。撮影時に、駆動手段３３を介してフォーカスレンズ１６を観察時の合焦位置からこの記憶した移動量だけ更に移動する。
【００１９】
静止画撮影が終了すると、動画観察に戻すため制御手段３１は駆動手段３３を介してフォーカスレンズ１６を前述の移動量だけ戻し、駆動手段３４を介して近赤カットフィルタ１８を光路上から退避させる。なお、制御手段３１によるフォーカスレンズ１６の駆動制御は、自動合焦に限定されるものではない。
【００２０】
（第２の実施形態）
図１（ｂ）は、本実施形態の自発蛍光撮影が可能な眼底カメラの構成図であり、上述の説明で用いられた図面の符号と同じ符号は同じ部材を示している。リレーレンズ１０、１１の間には挿脱自在な自発蛍光用励起フィルタ４１と光路長補正ガラス４２が切換え可能に配置されている。また、結像レンズ１７と撮像手段１９の間には自発蛍光用濾過フィルタ４３と光路長補正ガラス４４が切換え可能に配置されている。制御手段３１の出力は、駆動手段４５を介して自発蛍光用励起フィルタ４１と光路長補正ガラス４２に接続され、駆動手段４６を介して自発蛍光用濾過フィルタ４３と光路長補正ガラス４４に接続されている。
【００２１】
図３（ａ）は自発蛍光用励起フィルタ４１の透過特性を示し、５８０ｎｍの近傍の光を透過し、それ以外の波長域は阻止する。図３（ｂ）は自発蛍光用濾過フィルタ４３の透過特性を示し、略６２０〜７００ｎｍ近傍までの波長域を透過する特性を持ち、それ以外の波長域を阻止する特性となっている。なお、点線は図３（ａ）の自発蛍光用励起フィルタ４１の透過特性であり、自発蛍光用濾過フィルタ４３と透過帯の重なりがないことを示している。
【００２２】
［動画観察］
動画観察時においては照明光は、上記実施形態と同様に近赤外光が使用され、制御手段３１は照明光学系においては駆動手段４５を介して光路長補正ガラス４２を光路内に挿入する。観察撮影光学系においては、駆動手段４６を介して光路長補正ガラス４４を光路内に挿入する制御を行う。
【００２３】
検者は撮像手段１９から出力される動画像をモニタ３２で観察しながら、眼底が所望の位置になるようにアライメントする。更に、制御手段３１により駆動手段３３を介してフォーカスレンズ１６を駆動させて合焦を行う。
【００２４】
［静止画撮影］
静止画撮影時においては照明光として撮影用光源５による可視光が使用される。撮影スイッチ３５が押下されると、撮影と同期して制御手段３１は、照明光学系においては駆動手段４６を介して光路長補正ガラス４２を自発蛍光用励起フィルタ４１に切換える。観察撮影光学系においては駆動手段４６を介して光路長補正ガラス４４を自発蛍光用濾過フィルタ４３に切換える。更に、撮影と同期して制御手段３１は、フォーカスレンズ１６の合焦制御を行う。同時に、撮影用光源５が発光し静止画撮影を行い、眼底から発生した自発蛍光像として撮影された画像はモニタ３２上に表示される。
【００２５】
図２（ｃ）に示す略７８０〜１０００ｎｍの波長域の近赤外波長域ａ内の任意の波長と、略６２０〜７００ｎｍの波長域の自発蛍光用蛍光波長域ｃ内の任意の波長の差によって光路長差が生ずる。制御手段３１には、この光路長差に対応したフォーカスレンズ１６の移動量が記憶されており、撮影と同期してフォーカスレンズ１６を記憶している移動量だけ移動させる。
【００２６】
静止画撮影が終了すると動画観察に戻すため、制御手段３１は照明光学系においては自発蛍光用励起フィルタ４１を光路長補正ガラス４２に切換え、観察撮影光学系においては自発蛍光用濾過フィルタ４３を退避し、フォーカスレンズ１６の移動量を戻す。
【００２７】
また、可視光で撮影する場合には、照明光学系又は観察撮影光学系の所望の位置に近赤カットフィルタを設ければよく、光学フィルタの厚さは任意でよい。
【００２８】
（第３の実施形態）
本実施形態の眼底カメラは、図１（ｂ）から観察用光源１の前方の可視カットフィルタ３を除去した構成となっている。これにより、観察用光源１からの照明光は選択的に可視光を含む照明光とされている。
【００２９】
［動画観察］
動画観察時においては照明光（第１の波長の光とも呼ぶ。）は可視光が使用される。制御手段３１は照明光学系においては駆動手段４５を介して光路長補正ガラス４２を光路内に挿入し、観察撮影光学系においては駆動手段４６を介して光路長補正ガラス４４を光路内に挿入する制御を行う。
【００３０】
検者は撮像手段１９から出力される動画像をモニタ３２で観察しながら、眼底が所望の位置になるようにアライメントする。更に、制御手段３１によりフォーカスレンズ１６を駆動させて合焦を行う。
【００３１】
［静止画撮影］
静止画撮影時においては照明光（第２の波長の光とも呼ぶ。）は可視光が使用される。撮影スイッチ３５が押下されると、制御手段３１は照明光学系においては駆動手段４５を介して光路長補正ガラス４２を自発蛍光用励起フィルタ４１に切換える。観察撮影光学系においては駆動手段４６を介して光路長補正ガラス４４を自発蛍光用濾過フィルタ４３に切換える。更に、撮影と同期して制御手段３１は、フォーカスレンズ１６が移動するよう制御する。同時に、撮影用光源５が発光し静止画撮影を行う。撮影された画像はモニタ３２上に表示される。
【００３２】
制御手段３１は図２（ｄ）に示す略４００〜７００ｎｍの波長域の可視波長域ｂ内の任意の波長と、略６２０〜７００ｎｍの波長域の自発蛍光用蛍光波長域ｃ内の任意の波長の差によって生ずる光路長差に対応した移動量が記憶されている。撮影と同期してフォーカスレンズ１６を記憶した移動量だけ移動させる。
【００３３】
静止画撮影が終了すると動画観察に戻すため、制御手段３１は自発蛍光用励起フィルタ４１を光路長補正ガラス４２に切換え、自発蛍光用濾過フィルタ４３を光路長補正ガラス４４に切換え、フォーカスレンズ１６を記憶した移動量だけ戻す。
【００３４】
（第４の実施形態）
本実施形態の眼底カメラは、図１（ｂ）の自発蛍光用励起フィルタ４１と自発蛍光用濾過フィルタ４３とをそれぞれ、赤外蛍光（ＩＣＧ）用励起フィルタ５１と赤外蛍光（ＩＣＧ）濾過フィルタ５３とに変更された構成となっている。
【００３５】
結像レンズ１７と撮像手段１９の間には、赤外蛍光（ＩＣＧ）濾過フィルタ５３と光路長補正ガラス４４とが切換え可能に配置されている。赤外蛍光用励起フィルタ５１と光路長補正ガラス４２は制御手段３１の指令により駆動手段４５によって駆動される。また、赤外蛍光用濾過フィルタ５３と光路長補正ガラス５４は駆動手段４６により駆動される。
【００３６】
図３（ｃ）は赤外蛍光用励起フィルタ５１の透過特性を示す。赤外蛍光用励起フィルタ５１は略７２０〜８００ｎｍを透過する特性を有し、それ以外の波長域は阻止する特性となっている。図３（ｄ）は赤外蛍光用濾過フィルタ５３の透過特性を示し、赤外蛍光（ＩＣＧ）濾過フィルタ５３は略８２０〜９００ｎｍを透過する特性を持ち、それ以外の波長域は阻止する特性となっている。なお、点線は、図３（ｄ）の赤外蛍光用励起フィルタ５１の透過特性であり、赤外蛍光用濾過フィルタ５３と透過帯の重なりがないことを示している。
【００３７】
［動画観察］
動画観察時においては照明光には近赤外波長が使用される。制御手段３１は照明光学系においては駆動手段４６を介して光路長補正ガラス４２を光路内に挿入し、観察撮影光学系においては駆動手段４５を介して光路長補正ガラス５４を光路内に挿入する。
【００３８】
検者は撮像手段１９から出力される動画像をモニタ３２で観察しながら、眼底が所望の位置になるようにアライメントする。更に、制御手段３１によりフォーカスレンズ１６を駆動させて合焦を行う。
【００３９】
［静止画撮影］
静止画撮影時においては照明光は可視波長が使用される。撮影スイッチ３５が押下されると制御手段３１は照明光学系においては駆動手段４６を介して光路長補正ガラス４２を赤外蛍光用励起フィルタ５１に切換える。また、観察撮影光学系においては駆動手段４６を介して光路長補正ガラス５４を赤外蛍光用濾過フィルタ５３に切換える。更に、撮影と同期して制御手段３１は、フォーカスレンズ１６による合焦制御を行う。同時に、撮影用光源５を発光し静止画撮影を行う。撮影された画像はモニタ３２上に表示される。
【００４０】
制御手段３１は図２（ｅ）に示す略７８０〜１０００ｎｍの波長域の近赤外波長域ａ内の任意の波長と略８２０〜９００ｎｍの波長域の赤外蛍光用蛍光波長域ｄ内の任意の波長の差によって生ずる光路長差に対応した移動量が記憶されている。撮影と同期してフォーカスレンズ１６を該当の移動量だけ移動させる。
【００４１】
静止画撮影が終了すると動画観察に戻すために、制御手段３１は赤外蛍光用励起フィルタ５１を光路長補正ガラス４２に切換え、赤外蛍光用濾過フィルタ５３を光路長補正ガラス４４に切換える。更に、フォーカスレンズ１６を移動量だけ戻の位置に移動させる。
【００４２】
また、上記実施形態において、観察撮影光路上に挿脱自在なダイクロイックミラーから成り、光路分岐のため光束分割手段の挿入時と退避時の光路補正にも適用できる。
【００４３】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４４】
１  観察用光源
３  可視カットフィルタ
５  撮影用光源
１８  近赤カットフィルタ
１９  撮像手段
３１  制御手段
３５  撮影スイッチ
４１  自発蛍光用励起フィルタ
４２、４４  光路長補正ガラス
４３  自発蛍光用濾過フィルタ
５１  赤外蛍光用励起フィルタ
５３  赤外蛍光用濾過フィルタ
【図１】
2011015955.tif 000003
【図２】
2011015955.tif 000004
【図３】
2011015955.tif 000005